(57)【特許請求の範囲】
【請求項１】
木工設備であって、
加工対象物支持部（８）と、該加工対象物支持部（８）の上に置かれ、加工のために運搬される加工対象物（７）の動きを整合するベルトまたはチェーン構造体とを含んでおり、
前記ベルトまたはチェーン構造体は、少なくとも２つのプーリ（２、３）の上をガイドされ、前記加工対象物（７）と接触するように設計されているベルト（１）またはチェーンを含んでおり、前記ベルト（１）またはチェーンは、該ベルト（１）またはチェーンに割り当てられたプレス装置（１０）によって前記ベルト（１）またはチェーンの移動方向を横断する方向で前記加工対象物（７）に対してプレス可能であり、
前記プレス装置（１０）は前記ベルト（１）またはチェーンと共にそれらの移動方向に移動する複数のプレス要素（１１）を含んでおり、
回転式に支持されているローラー（１７）が、前記プレス要素（１１）の上に配置され、前記プレス要素（１１）は、上方プレス部分（１４）と、２つの下方に延び出る肢部（１５）とを備えたＵ形状の基体を含んでおり、２本のピン（１６）が前記肢体を通過して延び、両側に回転式に支持された前記ローラー（１７）を備えている、
ことを特徴とする木工設備。
【請求項２】
前記プレス要素（１１）は、無端チェーンを構成するように相互接続され、少なくとも２つのポケットホイール（１２、１３）の上をガイドされることを特徴とする請求項１記載の木工設備。
【請求項３】
前記ポケットホイール（１２、１３）は、前記ベルト（１）の前記プーリ（２、３）間に設置されていることを特徴とする請求項２記載の木工設備。
【請求項４】
前記プレス要素（１１）は、リンクプレート（２０）によって相互接続されていることを特徴とする請求項１から３のいずれかに記載の木工設備。
【請求項５】
前記プレス要素（１１）は、圧力プレート（１８）によって前記ベルト（１）の内面に対してプレスされていることを特徴とする請求項１から４のいずれかに記載の木工設備。
【請求項６】
前記ベルト（１）またはチェーンは、一平面内で、第３のプーリ（４）の上を越えるように配置されている２つのプーリ（２、３）の上をガイドされることを特徴とする請求項１から５のいずれかに記載の木工設備。
【請求項７】
前記第３のプーリ（４）は、旋回式に支持された作動リンク（６）の自由端に配置されていることを特徴とする請求項６記載の木工設備。
【発明の詳細な説明】
【技術分野】
【０００１】
本発明は、木工設備に関し、特に、木工設備であって、加工対象物支持部と、該加工対象物支持部の上に置かれ、加工のために運搬される加工対象物の動きを整合するベルトまたはチェーン構造体とを含んだ木工設備に関するものである。
【背景技術】
【０００２】
特許文献１には、デフリクションプーリによりガイドされるベルトまたはバンドを備えたベルト構造物によって加工対象物の動作あるいは移動を整える（整合する）木工設備が開示されている。この場合、計測ベルトは、加工対象物の運搬を請け負う駆動バンドに平行な複数の別々となったプーリによってガイドされる。板ばね（平ばね）により荷重されたプレスレールが計測ベルトの後側で、加工対象物の方向に配置されている。計測ベルトは加工対象物に対して、ばね荷重されたプレスレールによって内側からプレスされている。
【０００３】
しかしながら、この特許文献１の木工設備では、計測ベルトは静止状態のプレスレールに沿って移動するため、この計測ベルトには、計測ベルトとばね荷重されたプレスレールとの間の相対移動によって発生する摩擦によって大きなストレス（負荷）が掛かり、計測ベルトの急速な磨耗、並びにその結果として発生する計測ベルトの滑り現象が起きる可能性が高まる。
【先行技術文献】
【特許文献】
【０００４】
【特許文献１】ＤＥ２０２０３４８８Ｕ１
【発明の概要】
【発明が解決しようとする課題】
【０００５】
そこで、本発明者等は、可能な限り小さな摩擦で、滑りが発生しない形態にて、移動される加工対象物に対してベルトあるいはチェーンをそれぞれ押し付ける（プレスする）ことを可能にはどうしたらよいか、について種々検討を重ねてきた結果、本発明を完成したのである。
【０００６】
すなわち、本発明の目的とするところは、可能な限り小さな摩擦で、滑りが発生しない形態にて、移動される加工対象物に対してベルトあるいはチェーンをそれぞれ押し付ける（プレスする）ことを可能にする木工設備を提供することにある。
【課題を解決するための手段】
【０００７】
以上の目的は、加工対象物支持部８と、該加工対象物支持部８の上に置かれ、加工のために運搬される加工対象物７の動きを整合するベルトまたはチェーン構造体とを含んでおり、前記ベルトまたはチェーン構造体は、少なくとも２つのプーリ２、３の上をガイドされ、前記加工対象物７と接触するように設計されているベルト１またはチェーンを含んでおり、前記ベルトまたはチェーンは、該ベルト１またはチェーンに割り当てられたプレス装置１０によって前記ベルト１またはチェーンの移動方向を横断する方向で前記加工対象物７に対してプレス可能であり、前記プレス装置１０は前記ベルト１またはチェーンと共にそれらの移動方向に移動する複数のプレス要素を含んだ木工設備で達成される。本発明の実用的な改良および好適実施形態は、従属請求項の特徴を構成する。
【０００８】
本発明の木工設備において、プレス装置１０は、ベルトまたはチェーンと共に、それらの移動方向に移動する複数のプレス要素を備える。これらプレス要素はベルトまたはチェーンと共に移動するため、ベルトまたはチェーンはプレス要素との滑り摩擦を引き起こすことなく、無滑動接続を実現するために加工対象物に対してプレスされる。この結果、正確で、滑りのない状態にて加工対象物を移動させることが可能となる。
【０００９】
本発明の特に実用的な形態では、複数のプレス要素が無端チェーンを構成するように相互接続され、少なくとも２つのポケットホイールを介してガイドされる。これら２つのポケットホイールは一平面内に設置される。好適には、プレス要素が、２つのプーリ間で延びるベルト部分の内側と接触するよう、ベルトの２つの上方プーリ間で一平面内に設置される。好適実施形態では、プレス要素は、例えばリンクプレートによって相互接続される。
【００１０】
プレス要素は、好適には圧力プレートによってベルトの内面に対してプレスされる。圧力プレートはポケットホイール間に配置でき、プレス要素が圧力プレートの上を通過し、例えば加工対象物の下側に対してベルトをプレスするとき、ベルトの内面に対してプレスされるようになっている。この目的に沿って圧力プレートは傾斜形状で提供することができる。圧力プレートは水平軸の周囲で旋回することもできる。このように、プレス要素を不規則な形状の加工対象物に対しても適正にプレスすることが可能となる。
【００１１】
プレス要素と圧力プレートとの間の摩擦が最小となるように圧力プレート上で支持力を発揮させるため、回転式に支持されているローラーをプレス要素の上、またはプレス要素間の接続要素の上に配置できる。
【００１２】
特に実用的な実施形態では、ベルトは一平面内に配置された２つのプーリと、第３のプーリとを介してガイドされる。この第３のプーリは旋回可能に支持されている作動リンクの自由端に配置できる。
【００１３】
プーリとプレス装置は支持部の上に配置でき、この支持部によって垂直方向に可動である。これで加工対象物の調節を可能にする。
【００１４】
上述のベルトまたはチェーンの構造物は、好適には、板材加工設備、建具加工設備あるいは類似物の木工設備における加工対象物の動きを整合するのに使用される。この目的で、ベルトまたはチェーンは、例えば、ベルトあるいはチェーンと共に移動するプレス要素によって加工対象物の支持部の上で長手方向に移動する加工対象物の下側に対してプレスされる。回転運動を整合させるために、センサーあるいは他の適した装置をプーリの少なくとも１つに配置することができる。
【００１５】
従って、加工対象物の移動は、ベルトまたはチェーンを介して加工対象物によって駆動されるプーリの回転移動を整合させることで、滑りが介在しない状態で整合および計測が可能である。
【００１６】
しかし、ベルトまたはチェーンの移動は、他の適した計測装置とも直接的に整合させることが可能である。例えば、適した検出器を越えて移動する歯付きベルトの歯の数を合わせ、ベルトの移動の直接的計測にこの数を利用することも可能である。しかし、ベルトまたはチェーンの移動を整合させる他の計測装置であっても適している。
【００１７】
本発明の他の特殊性と利点は、図面で示す以下の好適実施例の解説を通して説明されている。
【発明の効果】
【００１８】
以上、説明したとおり、本発明においては、
「加工対象物支持部（８）と、該加工対象物支持部（８）の上に置かれ、加工のために運搬される加工対象物（７）の動きを整合するベルトまたはチェーン構造体とを含んでおり、
前記ベルトまたはチェーン構造体は、少なくとも２つのプーリ（２、３）の上をガイドされ、前記加工対象物（７）と接触するように設計されているベルト（１）またはチェーンを含んでおり、前記ベルト（１）またはチェーンは、該ベルト（１）またはチェーンに割り当てられたプレス装置（１０）によって前記ベルト（１）またはチェーンの移動方向を横断する方向で前記加工対象物（７）に対してプレス可能であり、  前記プレス装置（１０）は前記ベルト（１）またはチェーンと共にそれらの移動方向に移動する複数のプレス要素（１１）を含んでいること」にその構成上の主たる特徴があり、これにより、可能な限り小さな摩擦で、滑りが発生しない形態にて、移動される加工対象物に対してベルトあるいはチェーンをそれぞれ押し付ける（プレスする）ことを可能にする前述タイプの木工設備を提供することができるのである。
【図面の簡単な説明】
【００１９】
【図１】本発明に係る木工設備を構成しているベルト構造体の斜視図である。
【図２】同ベルト構造体の側面図である。
【図３】本発明に係る木工設備を構成するプレス要素の側面図である。
【図４】同プレス要素の斜視図である。
【発明を実施するための形態】
【００２０】
本発明に係る木工設備を構成しているベルトまたはチェーン構造体（以下、単にベルト構造体と表現する）は、無端歯付きベルトの形態であり、図１と図２で図示したように、一平面内に設置された２つの上方プーリ２および３と、それら２つのプーリ２および３の下方に設置された下方プーリ４によりガイドされるベルト１を含む。これら２つのプーリ２および３は支持レール５の上で回転式に支持されており、下方プーリ４は、支持レール５の上に旋回式に配置された作動リンク６の自由端の上に回転式に支持されている。作動リンク６は、ベルト１を引っ張り状態でガイドするために、スプリング（図示せず）またはそれ自身の重量によって、下方プーリ４を下方に押圧することでベルト１に張力を発生させる。
【００２１】
上方プーリ２および３と下方プーリ４は、無端歯付きベルトの形態のベルト１と確実に係合できる歯付きプーリの形態で提供され、ベルト構造体を構成する。このベルト構造体は、２つの上方プーリ２と３の間で延びるベルト１の領域または部分が、図２で概略的に図示されている加工対象物７の下側に、当該加工対象物７の外側が少なくとも部分的に接触するように提供される。
【００２２】
例えば、梁材、板材、等々の形態の加工対象物７は、運搬ローラーと共に概略的に図示されているローラーコンベアの上、または他の適した板材プレス設備あるいは同様な木工設備の加工対象物支持部８の上に置かれ、加工を施すために、運搬装置（図示せず）によって加工対象物支持部８に沿って運搬が可能である。長手軸の方向での加工対象物７の移動中に、ベルト１は、加工対象物７の下側との摩擦係合によって駆動され、加工対象物７の移動を整合させるために使用されることが可能である。
【００２３】
図示する例示的実施例においては、ベルト構造体は、長手方向に移動する加工対象物７の移動を整合させるための計測装置の一部を形成し、下方プーリ４は、プーリ４の回転移動を整合させるためにロータリーエンコーダまたは別な適したセンサー９に接続される。加工対象物７の動きは、ベルト１を介して加工対象物７によって駆動されるプーリ４の回転移動を整合させることで整合が可能である。センサー９は他のプーリ２および３にも配置が可能である。
【００２４】
加工対象物７の移動中にほぼ滑りのない状態でベルトを駆動するため、ベルト１はプレス装置１０によって加工対象物７に対してプレスされる。プレス装置１０は、運搬方向にベルト１と共に移動し、図示の本実施例では２つのポケットホイール１２および１３の周囲でガイドされる無端チェーンの一部を形成する複数のプレス要素１１を含む。ポケットホイール１２および１３は図示の本実施例では歯付きホイールの形態で提供される。
【００２５】
本発明に係る木工設備を構成しているプレス要素１１は、図３および図４に図示されており、上方プレス部分１４と、２つの下方に延びる肢部１５とを備えたＵ形状の基体で成る。２つのピン１６がこれら肢部１５を通って延び、図１と図２で示すように圧力プレート１８の上で支持を提供するように両側で回転可能に支持されたローラー１７を具備する。ローラー１７はピン１６の端部に設置された外側リンクプレート１９によって保持される。このプレス要素１１は、図３で示す内側リンクプレート２０によってポケットホイール１２および１３の上をガイドされる無端チェーンを構成するように相互接続される。
【００２６】
また、このプレス要素１１は、プレス要素１１の両側でピン１６に配置されたローラー１７によって、可能な限り摩擦と磨耗を抑えて圧力プレート１８の上を滑走する。ポケットホイール１２と１３の間に配置された圧力プレート１８は、それらが圧力プレート１８の上を通過し、加工対処物７の下側に対してベルト１をプレスするとき、プレス要素１１がベルト１に押し付けられるように構成される。この目的で、圧力プレート１８は、図１及び図２に示したように、プレス要素１１の移動方向に向かって傾斜上昇する前部傾斜面２１と、傾斜降下する後部傾斜面２２とを備えた傾斜面の形態で提供される。
【００２７】
以上の通り、図示した本実施例では、上記のベルト構造体は、板材加工設備または同様な木工設備で加工対象物の移動を計測するのに使用される。ベルト構造体は、ベルト１の上方部分が、例えば、運搬床台（加工対象物支持部８）の上に置かれた加工対象物７の下側と接触して加工対象物が長手方向に運搬されるように、木工設備の運搬床台または他の加工対象物支持部に一体化される。ベルトも当然に加工対象物７の他の横方向面と接触する。
【００２８】
加工対象物７が運搬装置（図示せず）によって長手方向に移動されると、プレス要素１１によって加工対象物７の下側に対してプレスされるベルト１は、この摩擦係合によって駆動され、プーリ４にその運動を伝達し、そこにプーリ４の回転運動を整合するセンサー９が設置される。このように、加工対象物の移動を整合し、計測することが可能となる。プレス要素１１はベルト１と共に移動し、プレス要素１１とベルト１との間には相対的な移動が発生しないため、プレス要素１１とベルト１との間には滑り摩擦は生じない。
【００２９】
上述したベルト構造体は、ここで詳細に説明した形態には限定されない。このベルト構造体は、例えば、１以上のプーリが駆動されるときに加工対象物を運搬するのにも利用が可能である。加工対象物の移動はこのような場合にも計測できる。ベルト１を利用する代わりに、上述のプレス装置１０によって加工対象物７に対してプレスされ、適した摩擦係合要素あるいは確実に係合させる要素によって滑りが発生しない状態で加工対象物７に接続されるチェーン等の牽引要素を利用することも可能である。
【符号の説明】
【００３０】
１    ベルト
２・３    上方プーリ
４    下方プーリ
５    支持レール
６    作動リンク
７    加工対象物
８    加工対象物支持部
９    センサー
１０    プレス装置
１１    プレス要素
１２・１３    ポケットホイール
１４    上方プレス部分
１５    肢部
１６    ピン
１７    ローラー
１８    圧力プレート
１９    外側リンクプレート
２０    内側リンクプレート
２１    前部傾斜面
２２    後部傾斜面
【図１】
0005914256.tif 000002
【図２】
0005914256.tif 000003
【図３】
0005914256.tif 000004
【図４】
0005914256.tif 000005